(57)【要約】      （修正有）【課題】情報を取得したい場所で、その周辺の情報を簡単に入手可能なシステムを提供する。【解決手段】インターネット通信機能および非接触型ＩＣチップを備える携帯端末と、所定の位置に設置され、かつ設置位置の周辺情報資源に関する第１位置特定子を送信可能な第１リーダライタ端末と、携帯端末とインターネット通信可能な通信手段と、第１リーダライタ端末の設置位置の周辺情報資源を記憶する記憶手段と、通信手段および記憶手段を制御する制御手段とを含むシステムにおいて、第１リーダライタ端末が、携帯端末の接近を検知したら、携帯端末へ第１位置特定子を送信し、通信手段が、携帯端末から、インターネット通信を介して、第１位置特定子を受信し、制御手段が、第１位置特定子によって特定される周辺情報資源を、記憶手段から読み取り、通信手段からインターネット通信を介して、携帯端末へ送信することを特徴とする情報提供方法。【選択図】図２
2010123006.tif 000002
【特許請求の範囲】
【請求項１】
インターネット通信機能および非接触型ＩＣチップを備える携帯端末と、所定の位置に設置され、かつ設置位置の周辺情報資源に関する第１位置特定子を送信可能な第１リーダライタ端末と、前記携帯端末とインターネット通信可能な通信手段と、前記第１リーダライタ端末の設置位置の周辺情報資源を記憶する記憶手段と、前記通信手段および前記記憶手段を制御する制御手段とを含むシステムにおいて、
前記第１リーダライタ端末が、前記携帯端末の接近を検知したら、前記携帯端末へ前記第１位置特定子を送信する第１位置特定子送信ステップと、
前記通信手段が、前記携帯端末から、インターネット通信を介して、前記第１位置特定子を受信する第１位置特定子受信ステップと、
前記制御手段が、前記第１位置特定子によって特定される前記周辺情報資源を、前記記憶手段から読み取り、前記通信手段からインターネット通信を介して、前記携帯端末へ送信する周辺情報資源送信ステップと、
を含むことを特徴とする情報提供方法。
【請求項２】
前記システムが施設に設置された第２リーダライタ端末をさらに含み、
前記記憶手段が第２位置特定子によって特定される特典情報資源をさらに記憶し、
前記周辺情報資源送信ステップの後に、
前記通信手段が、インターネット通信を介して、前記携帯端末から、前記携帯端末に関連付けられている使用者識別子を受信する使用者識別子第１受信ステップと、
前記記憶手段が、前記携帯端末から受信した前記使用者識別子を記憶する使用者識別子第１記憶ステップと、
前記第２リーダライタ端末が、前記携帯端末の接近を検知したら、前記携帯端末へ第２位置特定子を送信する第２位置特定子送信ステップと、
前記通信手段が、前記携帯端末から、インターネット通信を介して、前記使用者識別子および前記第２位置特定子を受信する使用者識別子第２受信ステップと、
前記記憶手段が、前記使用者識別子第２受信ステップにおいて、前記携帯端末から受信した前記使用者識別子を記憶する使用者識別子第２記憶ステップと、
前記制御手段が、前記使用者識別子第２受信ステップにおいて受信した前記使用者識別子が、前記使用者識別子第１記憶ステップにおいて既に記憶されている使用者識別子と同じかを判断する使用者識別子判断ステップと、
前記使用者識別子判断ステップにおいて、２つの使用者識別子が同じと判断された場合に、前記特典情報資源を、前記記憶手段から読み取り、インターネット通信を介して、前記携帯端末へ送信する特典情報資源送信ステップと、
をさらに含むことを特徴とする請求項１に記載の情報提供方法。
【請求項３】
前記使用者識別子第１記憶ステップにおいて、前記使用者識別子と共に、前記使用者識別子を受信した時刻を記憶し、
前記使用者識別子第２記憶ステップにおいて、前記使用者識別子と共に、前記使用者識別子を受信した時刻を記憶することを特徴とする請求項２に記載の情報提供方法。
【請求項４】
インターネット通信機能および非接触型ＩＣチップを備える携帯端末と、
所定の位置に設置され、設置位置の周辺情報資源に関する第１位置特定子を、前記非接触型ＩＣチップへ送信可能な第１リーダライタ端末と、
前記携帯端末とインターネット通信可能な通信手段と、
前記第１リーダライタ端末の設置位置の周辺情報資源を記憶する記憶手段と、
前記通信手段および前記記憶手段を制御する制御手段を含む情報提供システムであって、
前記第１リーダライタ端末は、前記携帯端末の接近を検知したら、前記携帯端末へ前記第１位置特定子を送信可能であり、
前記通信手段は、前記携帯端末から、インターネット通信を介して、前記第１位置特定子を受信可能であり、
前記制御手段は、前記第１位置特定子によって特定される前記周辺情報資源を、前記記憶手段から読み取り、前記通信手段からインターネット通信を介して、前記携帯端末へ送信可能であることを特徴とする情報提供システム。
【請求項５】
前記システムが施設に設置された第２リーダライタ端末をさらに含み、
前記記憶手段が第２位置特定子によって特定される特典情報資源をさらに記憶し、
前記通信手段は、インターネット通信を介して、前記携帯端末から、前記携帯端末に関連付けられている使用者識別子を受信可能であり、
前記記憶手段が、前記携帯端末から受信した前記使用者識別子を記憶可能であり、
前記第２リーダライタ端末が、前記携帯端末の接近を検知したら、前記携帯端末へ第２位置特定子を送信可能であり、
前記通信手段が、前記携帯端末から、インターネット通信を介して、前記使用者識別子および前記第２位置特定子を受信可能であり、
前記記憶手段が、前記使用者識別子第２受信ステップにおいて、前記携帯端末から前記第２位置特定子と共に受信した前記使用者識別子を記憶可能であり、
前記制御手段は、前記第２位置特定子と共に受信した前記使用者識別子が、既に記憶されている使用者識別子と同じかを判断可能であり、
前記通信手段は、前記第２位置特定子と共に受信した前記使用者識別子が、既に記憶されている使用者識別子と同じと判断された場合に、前記特典情報資源を、前記記憶手段から読み取り、インターネット通信を介して、前記携帯端末へ送信可能であることを特徴とする請求項４に記載の情報提供システム。
【発明の詳細な説明】
【技術分野】
【０００１】
本発明は、通信ネットワークを介して接続された端末を利用して、情報を必要とする場所でその周辺の情報を容易に取得可能な方法およびシステムに関する。
【背景技術】
【０００２】
近年、インターネット等を介し位置情報と関連して情報を提供可能なシステムが提案されている（特許文献１参照）。
【０００３】
【特許文献１】特開２００２−３１８９５９号公報
【発明の開示】
【発明が解決しようとする課題】
【０００４】
しかし、特許文献１に開示されているようなシステムは、情報を求める者が情報を取得した後にどのような行動をとったかを捕捉することができなかった。
【課題を解決するための手段】
【０００５】
本発明は上記の課題に鑑みてなされたものであり、本発明の情報提供方法の第１の特徴は、インターネット通信機能および非接触型ＩＣチップを備える携帯端末と、所定の位置に設置され、かつ設置位置の周辺情報資源に関する第１位置特定子を送信可能な第１リーダライタ端末と、前記携帯端末とインターネット通信可能な通信手段と、前記第１リーダライタ端末の設置位置の周辺情報資源を記憶する記憶手段と、前記通信手段および前記記憶手段を制御する制御手段とを含むシステムにおいて、
（１）前記第１リーダライタ端末が、前記携帯端末の接近を検知したら、前記携帯端末へ前記第１位置特定子を送信する第１位置特定子送信ステップと、
（２）前記通信手段が、前記携帯端末から、インターネット通信を介して、前記第１位置特定子を受信する第１位置特定子受信ステップと、
（３）前記制御手段が、前記第１位置特定子によって特定される前記周辺情報資源を、前記記憶手段から読み取り、前記通信手段からインターネット通信を介して、前記携帯端末へ送信する周辺情報資源送信ステップと、
を含むことにある。
【０００６】
（１）本発明の情報提供方法の第２の特徴は、前記システムが施設に設置された第２リーダライタ端末をさらに含み、
（２）前記記憶手段が第２位置特定子によって特定される特典情報資源をさらに記憶し、
（３）前記周辺情報資源送信ステップの後に、
（４）前記通信手段が、インターネット通信を介して、前記携帯端末から、前記携帯端末に関連付けられている使用者識別子を受信する使用者識別子第１受信ステップと、
（５）前記記憶手段が、前記携帯端末から受信した前記使用者識別子を記憶する使用者識別子第１記憶ステップと、
（６）前記第２リーダライタ端末が、前記携帯端末の接近を検知したら、前記携帯端末へ第２位置特定子を送信する第２位置特定子送信ステップと、
（７）前記通信手段が、前記携帯端末から、インターネット通信を介して、前記使用者識別子および前記第２位置特定子を受信する使用者識別子第２受信ステップと、
（８）前記記憶手段が、前記使用者識別子第２受信ステップにおいて、前記携帯端末から受信した前記使用者識別子を記憶する使用者識別子第２記憶ステップと、
（９）前記制御手段が、前記使用者識別子第２受信ステップにおいて受信した前記使用者識別子が、前記使用者識別子第１記憶ステップにおいて既に記憶されている使用者識別子と同じかを判断する使用者識別子判断ステップと、
（１０）前記使用者識別子判断ステップにおいて、２つの使用者識別子が同じと判断された場合に、前記特典情報資源を、前記記憶手段から読み取り、インターネット通信を介して、前記携帯端末へ送信する特典情報資源送信ステップと、
をさらに含むことにある。
【発明の効果】
【０００７】
本発明の第１の特徴によれば、携帯端末を所定のリーダライタ端末にかざすだけで、そのリーダライタ端末の設置場所周辺の情報を取得することが可能となる。
本発明の第２の特徴によれば、駅などで周辺情報を取得した者が、その後どのような行動をとったかを、容易に、かつプライバシーの侵害に十分配慮した上で取得することができる。
【発明を実施するための最良の形態】
【０００８】
（第１実施形態）
以下、図面を参照しながら、本発明の情報提供システムを説明する。図１は、本発明の第１実施形態における全体構成の一例を示す概念図である。図２は、本発明の第１実施形態における処理の流れを説明するための図である。
本システム１００は、ウエブサーバ１０１、データベースサーバ（以下、適宜「ＤＢサーバ」と表記する。）１０３、データベース（以下、適宜「ＤＢ」と表記する。）１０５を備える。
ウエブサーバ１０１は、通信手段および制御手段として機能し、ＤＢサーバ１０３及びＤＢ１０５は、記憶手段として機能する。
【０００９】
各サーバ１０１、１０３は、図示はしないが、ＣＰＵなどの演算装置、ＲＯＭやＲＡＭ、ハードディスクなどの記憶装置、データの送受信を行う通信装置を少なくとも備えており、必要に応じて、キーボードなどの入力装置、ディスプレイなどの表示装置、などほかのハードウェアを備えていても良い。またプログラムやモジュールなどが記憶装置に記憶されており、適宜、必要な処理に応じてプログラムやモジュールなどが読み出されて、演算装置において実行させることによって、本発明の各機能を実現する。
【００１０】
携帯電話（携帯端末）６０は、インターネット通信機能および非接触型ＩＣチップを備える。
駅設置リーダライタ端末（第１リーダライタ端末）４０は、駅出口などの所定の位置に設置され、かつ設置位置の周辺情報資源に関する第１位置特定子（第１ＵＲＬ）を送信可能である。
システム１００は、携帯電話６０とインターネット通信可能な通信手段と、駅設置リーダライタ端末４０の設置位置の周辺情報資源を記憶する記憶手段と、通信手段および記憶手段を制御する制御手段とを含む。
駅設置リーダライタ端末４０は、携帯電話６０の接近を検知したら（ステップＳ１）、携帯電話６０へ第１ＵＲＬを送信する（ステップＳ２）。
通信手段は、携帯電話６０から、インターネット通信網９０を介して、ＵＲＬを受信する（ステップＳ３）。
制御手段は、第１ＵＲＬによって特定される駅周辺施設によって行われているキャンペーンに関する文章や写真や動画など（これらを、「駅周辺情報資源」と称する）を、記憶手段から読み取り、通信手段からインターネット通信網９０を介して、携帯電話６０へ送信する。
【００１１】
図３は、駅設置リーダライタ端末４０のＩＤと、駅設置リーダライタ端末４０から返されるＵＲＬの関係の一例を示す。
図３に示す例では、ＩＤがｓｔｓ００１の駅設置リーダライタ端末にタッチすると出口周辺情報ＵＲＬとしてhttp://www.ggg.co.jp/inf001が携帯電話６０に返される。
【００１２】
以下、より具体的に第１実施形態を説明する。
駅利用者が、モバイルFelica（登録商標）対応の携帯電話６０を鉄道駅の出口付近等へ設置したリーダライタ端末４０へかざすと、モバイル携帯電話６０の三者間通信機能により、携帯電話６０のビューアにＵＲＬ（Uniform Resource Locator）が表示される。そのＵＲＬをクリックするとその出口を基点とした「駅出口周辺情報サービス」コンテンツが表示される。
なお、ＵＲＬそのものが表示されるのではなく<a
href="http://www.ggg.co.jp/inf001.html">文字列abc</a>のようにして、http://www.ggg.co.jp/inf001.htmlの代わりに文字列abcやその他の画像等が表示されるようにしても良いことは言うまでもない。
コンテンツとしては、リーダライタ端末４０の設置個所の経度緯度を基点とした周辺地図や周辺店舗・施設検索などが提供されるが、中でも特徴的な機能は、周辺施設によるイベント情報の配信機能である。
これまでのＧＰＳ（Global Positioning System）や、簡易位置情報機能によるエリア情報サービスは、出口周辺に存在する施設の「静的」な情報（住所情報などの変化しない情報）が主であった。こういった類の情報は例えばＮＴＴが保有する電話帳データを購入し、緯度経度情報を付与すればコンテンツとして提供可能である。
第１実施形態では、駅利用者向けの情報を発信するための管理画面を駅周辺の店舗・施設側に提供し、店舗・施設側から日々のイベント情報を登録可能とすることによって（ステップＳ０）、店舗・施設側から日々のイベント情報を発信できるようにする。
【００１３】
これにより、駅利用者は、これまで知ることができなかった駅周辺の施設のリアルタイムな情報（更新されてから長時間経過していない情報）に接触できるようになる。
利用者はなんらかの目的を持って駅を訪れ、その目的地にもっとも近い出口を選ぶ。これまでは、その目的を達成するとその駅から移動していたが、本サービスにより一度のおでかけで複数の目的を達成できるようになる。
アクセスの履歴に応じて、ユーザに最適なイベント情報を表示するロジックを組み込み、提供することも可能である。
【００１４】
第１実施形態の利用パターンを説明する。
パターンＡ：
同一駅であっても、出口毎にことなる周辺情報を配信可能とする。つまり、出口ａの付近に設置されているリーダライタ端末ａが携帯電話６０に提供するＵＲＬと、出口ｂの付近に設置されているリーダライタ端末ｂが携帯電話６０に提供するＵＲＬとを別のものとし、リーダライタ端末ａから提供されるＵＲＬによって特定される駅周辺情報と、リーダライタ端末ｂから提供されるＵＲＬによって特定される駅周辺情報とを別のものとすることができる。
パターンＢ：
ＵＲＬによって特定される駅周辺情報が百貨店などの大型店舗の紹介Ｗｅｂページであって、そのＷｅｂページからさらに大型店舗に入っている個々のお店（小規模小売店、飲食店など）のＷｅｂページへハイパーリンクをはり、個々のお店のＷｅｂページへ誘導可能としても良い。
【００１５】
（第２実施形態）
図４および図５に基づいて第２実施を説明する。
図４は、本発明の第２実施形態における全体構成の一例を示す図であり、図５は本発明の第２実施形態における処理の流れを説明するための図である。
第２実施形態は、第１実施形態に以下に説明する各種機能や手段を付加したものである。
第２実施形態は、駅周辺の店舗・施設に設置された店舗設置リーダライタ端末（第２リーダライタ端末）５０をさらに含む。
システム２００の記憶手段は、第２ＵＲＬ（第２位置特定子）によって特定される特典情報資源（所定条件を満たすユーザにのみ与えられる特典に関する文章、写真、動画、割引チケットなど）をさらに記憶する。
システム２００のＷＥＢサーバ（通信手段）２０１は、インターネット通信網９０を介して、携帯電話６０から、携帯電話６０に記憶されている使用者識別子（ＵＩＤ）を受信可能である。
システム２００のＤＢ（記憶手段）２０５は、携帯電話６０から受信したＵＩＤを記憶可能である。
店舗設置リーダライタ端末５０は、携帯電話６０の接近を検知したら、携帯電話６０へ第２ＵＲＬを送信可能である。
ＷＥＢサーバ２０１は、携帯電話６０から、インターネット通信網９０を介して、ＵＩＤおよび第２ＵＲＬを受信可能である。
ＤＢ２０５は、第２ＵＲＬと共に受信したＵＩＤを記憶可能である。
システム２００の制御手段は、第２ＵＲＬと共に受信したＵＩＤが、既に記憶されているＵＩＤと同じかを判断可能である。つまり、受信したＵＩＤが、既に記憶されている１または2以上のＵＩＤのいずれかに一致するかを判断することができる。
ＷＥＢサーバ２０１は、第２ＵＲＬと共に受信したＵＩＤが、既に記憶されているＵＩＤと同じと判断された場合に、特典情報資源を、ＤＢ２０５から読み取り、インターネット通信網９０を介して、携帯電話６０へ送信可能である。
【００１６】
第２実施形態では、第１実施形態における（Ｓ４：周辺情報資源送信ステップ）の後に、ＷＥＢサーバ２０１は、インターネット通信網９０を介して、携帯電話６０から、キャンペーンへのエントリー（申し込み）の際にＵＤＩ（使用者識別子）を受信する（Ｓ５：使用者識別子第１受信ステップ）。
次に、ＤＢ２０５は、携帯電話６０から受信したＵＤＩを記憶する（使用者識別子第１記憶ステップ）。
次に、店舗設置リーダライタ端末（第２リーダライタ端末）５０は、携帯電話６０の接近を検知したら（ステップＳ６）、携帯電話６０へ第２ＵＲＬを送信する（Ｓ７：第２位置特定子送信ステップ）。
次に、ＷＥＢサーバ２０１は、携帯電話６０から、インターネット通信網９０を介して、ＵＩＤおよび第２ＵＲＬを受信する（Ｓ８：使用者識別子第２受信ステップ）。
次に、ＤＢ２０５は、使用者識別子第２受信ステップＳ８において、携帯電話６０から受信したＵＩＤを記憶する（使用者識別子第２記憶ステップ）。
次に、制御手段は、使用者識別子第２受信ステップにおいて受信したＵＩＤが、使用者識別子第１記憶ステップにおいて既に記憶されているＵＩＤと同じかを判断する（使用者識別子判断ステップ）。
次に、使用者識別子判断ステップにおいて、２つの使用者識別子が同じと判断された場合、特典情報資源を、ＤＢ２０５から読み取り、インターネット通信網９０を介して、携帯電話６０へ送信する（Ｓ９：特典情報資源送信ステップ）。
【００１７】
以下、より具体的に第２実施形態を説明する。
第１実施形態において駅に設置されたリーダライタ端末４０に、駅利用者の携帯電話６０をかざして（Ｓ１）、リーダライタ端末４０から第１ＵＲＬを取得し（Ｓ２）、携帯電話６０の液晶ディスプレイに表示されている第１ＵＲＬをクリックすると（Ｓ３）、駅の周辺の施設によって提供されているキャンペーン情報が表示される（Ｓ４）。
駅利用者はそのキャンペーンにエントリーする（Ｓ５）。所定時間内に、キャンペーン参加店舗（レストラン・物販店舗等）に来店して、店舗に設置されているリーダライタ端末５０に、携帯電話６０をかざすと（Ｓ６）、携帯電話６０へ第２ＵＲＬが返される（Ｓ７）。
携帯電話６０の液晶ディスプレイに表示されている第２ＵＲＬをクリックすると（Ｓ８）、駅設置リーダライタ端末４０および店舗設置リーダライタ端末５０にタッチしたものだけがアクセス可能なＷｅｂページを閲覧可能となり（Ｓ９）。このＷｅｂページは、そのページ自体が割引チケットなどの特典であっても良い、また特典を得るための抽選に参加可能なページなどであっても良い。
【００１８】
このような第２実施形態によれば、店舗や施設側は、自分の商圏内に訪れている客（見込み客）に効果的なアプローチを行うことができる。
鉄道会社は、自社顧客を囲い込み（リピート利用）に役立てることができる。また、他の鉄道会社と競合する区間において、当該鉄道会社を利用した場合に周辺の店舗・施設で特典を受けられるということをフックに顧客争奪において優位性を持つことができる。
【００１９】
図６は、駅設置リーダライタ端末４０のＩＤと、駅設置リーダライタ端末４０から返されるＵＲＬの関係の一例を示す。
携帯電話６０を駅設置リーダライタ端末４０へタッチさせた場合に（Ｓ１）、Ｓ２で返されるＵＲＬは、図６に示すようなテーブルに基づいて決定される。
図６に示すように、駅設置リーダライタ端末４０は複数（例えば、各出口毎に）用意され、そのそれぞれにＩＤが割り当てられている。また、駅設置リーダライタ端末のそれぞれにキャンペーンエントリー画面ＵＲＬが関連付けられている。
このため、ＩＤがＳｔｓ００１である端末にタッチした携帯電話６０には、キャンペーンエントリー画面ＵＲＬとしてhttp://www.ggg.co.jp/cmp001が返され、ＩＤがＳｔｓ００２である端末にタッチした携帯電話６０には、キャンペーンエントリー画面ＵＲＬとしてhttp://www.ggg.co.jp/cmp002が返される。
これにより、ＩＤがＳｔｓ００１である端末にタッチした携帯電話６０が閲覧可能なキャンペーンエントリー画面と、ＩＤがＳｔｓ００２である端末にタッチした携帯電話６０が閲覧可能なキャンペーンエントリー画面とを異なるものとすることができる。
【００２０】
図７は、ＵＩＤと、エントリー済みキャンペーンＩＤの関係の一例を示す。
ステップＳ５で利用者がキャンペーンにエントリーすると、ＵＩＤと駅設置リーダライタ端末ＩＤとエントリー済みキャンペーンＩＤがＤＢ２０５に記憶される。
図７に示すように、ＵＩＤ、駅設置リーダライタ端末ＩＤおよびキャンペーンＩＤと共に、エントリーが行われた年月日時刻もＤＢ２０５に記憶することが好ましい。
【００２１】
図８は、ＵＩＤと、店舗設置リーダライタ端末５０のＩＤの関係の一例を示す。
ステップＳ８で利用者が、携帯電話６０の液晶ディスプレイに表示されている第２ＵＲＬをクリックすることによってＷＥＢサーバ２０１にアクセスすると、ＵＩＤと店舗設置リーダライタ端末ＩＤがＤＢ２０５に記憶される。
図８に示すように、ＵＩＤおよび店舗設置リーダライタ端末ＩＤと共に、ステップＳ８が実行された年月日時刻もＤＢ２０５に記憶することが好ましい。
【００２２】
（１）図７に示すように、ＵＩＤおよびエントリー済みキャンペーンＩＤと共に、キャンペーンへのエントリーが実行された年月日時刻もＤＢ２０５に記憶され、かつ（２）図８に示すように、ＵＩＤおよび店舗設置リーダライタ端末ＩＤと共に、ステップＳ８が実行された年月日時刻もＤＢ２０５に記憶することによって、ある特定のＵＩＤを割り当てられている携帯電話６０を携帯していた者が、「いつ」「どこに」いたのか、そして「いつ」「どこに」移動したのかを知ることができる。
なお、このようにして入手可能な情報は、いずれの情報（「いつ・どこから」に関する情報および「いつ・どこへ」に関する情報）を取得する際にも利用者の明確な行為の下に取得されているので、利用者のプライバシーを侵害するおそれがとても低い。
もし、利用者が駅設置リーダライタ端末４０に携帯電話６０をタッチしただけで「いつ・どこから」に関する情報が取得されてしまい、また利用者が店舗設置リーダライタ端末５０に携帯電話６０をタッチしただけで「いつ・どこへ」に関する情報が取得されてしまうと利用者から「プライバシーの侵害」との苦情が出るおそれがある。
しかし、第１、第２実施形態ではいずれも、携帯電話をリーダライタ端末にタッチした際は、携帯電話がＵＲＬを受け取るだけで、その際にＵＩＤがシステム２００へ送られることはないので、「プライバシーの侵害」との苦情が出るおそれは少ない。
また「プライバシーの侵害」により一層配慮するのであれば、キャンペーンエントリーの際（Ｓ５）および第２ＵＲＬをクリックする際（Ｓ８）に、携帯電話の液晶ディスプレイに「携帯電話機を特定可能なＵＩＤがシステム側へ送信されますが、よろしいですか？」などの注意が表示されるようにすればより好ましい。
【００２３】
図９は、駅設置リーダライタ端末ＩＤと店舗設置リーダライタ端末ＩＤとキャンペーンプレゼント画面ＵＲＬとの関係の一例を示す。
図９に示す例では、ＩＤがｓｈｐ１０１，１０２，１０３である店舗設置リーダライタ端末が設置されている店舗は、ＩＤがｃｍｐ００１であるキャンペーンに参加している。
さらに、ＩＤがｓｈｐ１０１，１０２，１０３である店舗設置リーダライタ端末が設置されている店舗は、ＩＤがｓｔｓ００１の駅設置リーダライタ端末から取得可能な第１ＵＲＬをクリックすることによって閲覧可能なＷＥＢページに掲載されている。
そして、（１）ＩＤがｓｔｓ００１の駅設置リーダライタ端末から取得可能な第１ＵＲＬをクリックすることによって閲覧可能なＷＥＢページから、ＩＤがｃｍｐ００１であるキャンペーンにエントリーし、かつ（２）ＩＤがｓｈｐ１０１，１０２または１０３である店舗設置リーダライタ端末から取得可能な第２ＵＲＬをクリックすることによって閲覧可能なＷＥＢページへアクセスすることによって、ＩＤがｃｍｐ００１であるキャンペーンの特典をもらうことができる。
【００２４】
図１０（ａ）はステップＳ４で取得可能な出口周辺情報を表示する画面８１０の一例を示す。図１０（ｂ）はステップＳ５でキャンペーンへエントリーする際に表示される画面８２０の一例を示す。
画面８１０のハイパーリンク８１１がクリックされると、画面８２０が表示される。そして、「はい」ボタン８２１がクリックされると、ＵＩＤがシステム２００へ送信される。
【００２５】
図１１はステップＳ９で表示される駅でリーダライタ端末へタッチし、キャンペーンにエントリーし、店舗でリーダライタ端末へタッチした利用者だけが閲覧可能な画面８３０の一例を示す。
特典表示部８３１に、特典の内容および特典の有効期限などが表示される。なお、駅でリーダライタ端末へタッチし、キャンペーンにエントリーし、店舗でリーダライタ端末へタッチしたらもれなく特典を得られるのではなく、携帯電話の液晶画面上でスロットマシンゲームを行い、所定のシンボルが所定枚数一列に並んだ場合にのみ特典を得られるとしても良いことは言うまでもない。
【図面の簡単な説明】
【００２６】
【図１】本発明の第１実施形態における全体構成の一例を示す概念図。
【図２】本発明の第１実施形態における処理の流れを説明するための図。
【図３】駅設置リーダライタ端末４０のＩＤと、駅設置リーダライタ端末４０から返されるＵＲＬの関係の一例を示す図。
【図４】本発明の第２実施形態における全体構成の一例を示す概念図。
【図５】本発明の第２実施形態における処理の流れを説明するための図。
【図６】駅設置リーダライタ端末４０のＩＤと、駅設置リーダライタ端末４０から返されるＵＲＬの関係の一例を示す図。
【図７】ＵＩＤと、エントリー済みキャンペーンＩＤの関係の一例を示す図。
【図８】ＵＩＤと、店舗設置リーダライタ端末５０のＩＤの関係の一例を示す図。
【図９】駅設置リーダライタ端末ＩＤと店舗設置リーダライタ端末ＩＤとキャンペーンプレゼント画面ＵＲＬとの関係の一例を示す図。
【図１０】（ａ）はステップＳ４で取得可能な出口周辺情報を表示する画面８１０の一例を示し、（ｂ）はステップＳ５でキャンペーンへエントリーする際に表示される画面８２０の一例を示す図。
【図１１】ステップＳ９で表示される駅でリーダライタ端末へタッチし、キャンペーンにエントリーし、店舗でリーダライタ端末へタッチした利用者だけが閲覧可能な画面８３０の一例を示す図。
【符号の説明】
【００２７】
４０  駅設置リーダライタ端末
５０  店舗設置リーダライタ端末
６０  携帯電話
７０  パーソナルコンピュータ
８０  移動体通信網
９０  インターネット
１００，２００  情報提供システム
１０１，２０１  ウエブサーバ
１０３，２０３  データベースサーバ
１０５，２０５  データベース
【図１】
2010123006.tif 000003
【図２】
2010123006.tif 000004
【図３】
2010123006.tif 000005
【図４】
2010123006.tif 000006
【図５】
2010123006.tif 000007
【図６】
2010123006.tif 000008
【図７】
2010123006.tif 000009
【図８】
2010123006.tif 000010
【図９】
2010123006.tif 000011
【図１０】
2010123006.tif 000012
【図１１】
2010123006.tif 000013